(57)【要約】【目的】  燃焼室からの熱ガスを煙突（ガス冷却塔）から外部に排出するときに、約２００℃以下まで容易に低下させることができ、焼却炉の法律上の規制を容易にクリアすることができる、愛玩動物の遺体などを焼却するのに適した焼却炉及び焼却方法を提供する。【構成】  動物の遺体などの被焼却物を燃焼させるためのバーナーを備えた一次燃焼室と、前記一次燃焼室の上方に備えられた二次燃焼室と、前記二次燃焼室の排出側に備えられ、前記二次燃焼室からのガスを排出するためのガス冷却塔（煙突）と、前記二次燃焼室からの熱ガスを前記ガス冷却塔（煙突）に導くための通路の途中部分に備えられ、前記熱ガスの温度を低下させるための大気を外部から取り入れるための大気取入口と、を備えたものである。【選択図】  図１
2006329612.tif 000002
【特許請求の範囲】
【請求項１】
愛玩動物の遺体などを焼却するのに適した焼却炉において、
動物の遺体などの被焼却物を燃焼させるためのバーナーを備えた一次燃焼室と、
前記一次燃焼室の上方に備えられ、前記一次燃焼室から送られて来る未燃焼ガスを完全燃焼させるための二次燃焼室であって、熱を蓄積して放射熱及び高温空気の渦流を発生させるためのスタビライザーと、この二次燃焼室内及び前記スタビライザーを加熱するための消煙バーナーとを備え、前記一次燃焼室から送られて来る未燃焼ガスを完全燃焼させることによりダイオキシンの生成を抑制するための二次燃焼室と、
前記二次燃焼室の排出側に備えられ、前記二次燃焼室からのガスを排出するためのガス冷却塔と、
前記二次燃焼室からの熱ガスを前記ガス冷却塔に導くための通路の途中部分に備えられ、前記熱ガスの温度を低下させるための大気を外部から取り入れるための大気取入口と、
を備えたことを特徴とする、愛玩動物の遺体などを焼却するのに適した焼却炉。
【請求項２】
請求項１において、
前記ガス冷却塔は、前記大気取入口からの大気により、前記ガス冷却塔を通過するガスの温度を約２００℃まで低下させるものである、ことを特徴とする愛玩動物の遺体などを焼却するのに適した焼却炉。
【請求項３】
請求項１又は２において、
前記一次燃焼室は、
移動式の移動炉床に載置される愛玩動物の遺体を、その頭部又は臀部の方向から臀部又は頭部の方向へ向けて炎を放出する主バーナーであって、比較的大型の動物の遺体が炉床上で横たわったときにその遺体の長手方向のほぼ中心軸上に対向するように、すなわち、移動炉床の長手方向の中心線から偏芯した位置に対向するように、配置されている主バーナーと、
前記主バーナーの最遠部の熱不足を補うための副バーナーであって、前記主バーナーからの炎とほぼ直交する方向に炎を放出する副バーナーと、
を備えている、ことを特徴とする愛玩動物の遺体などを焼却するのに適した焼却炉。
【請求項４】
請求項１，２又は３において、
前記ガス冷却塔は、外気を高速に取り込むためのエジェクターファンを備え、このエジェクターファンからの空気により、前記スタビライザーからの加熱された空気を取り込むと共に、この取り込んだ前記加熱された空気を約２００℃まで急冷して外部に排出し、これにより、前記二次燃焼室から送られたガスによりダイオキシンが再合成されることを防止するようにしたものである、ことを特徴とする愛玩動物の遺体などを焼却するのに適した焼却炉。
【請求項５】
請求項１，２又は３において、
前記移動炉床の周囲に備えられた耐火物製の堰堤であって、前記移動炉床上の動物の遺体からの脂肪が移動炉床の外に流れ出すことを防止するための堰堤、
を備えたことを特徴とする愛玩動物の遺体などを焼却するのに適した焼却炉。
【請求項６】
請求項１，２又は３において、
前記移動炉床の上面に備えられた耐火物製の凹凸部であって、移動炉床上に載置された動物の遺体の下部に酸素及び熱ガスを供給するための通気スペースを確保するための凹凸部、
を備えたことを特徴とする愛玩動物の遺体などを焼却するのに適した焼却炉。
【請求項７】
請求項６において、
前記移動炉床の上面の前記凹凸部の凹部内に敷き詰められた粒子径が約２〜５ｍｍの角張った砂又は砂状の粒子であって、前記遺体から流出した前記凹部内に溜まった脂肪などの油分を上方に導いて炉内で燃焼させるための粒子、
を備えたことを特徴とする愛玩動物の遺体などを焼却するのに適した焼却炉。
【請求項８】
請求項１，２，３又は６において、
前記移動炉床の上面に備えられた小動物載置用エリアであって、前記主バーナー及び副バーナーからの炎が直接当たらない場所に備えられ、その周囲には耐火物製の防炎板が備えられ、これにより小動物の遺骨がバーナーからの火炎により飛散されることを防止することができる小動物載置用エリア、
を備えたことを特徴とする愛玩動物の遺体などを焼却するのに適した焼却炉。
【請求項９】
請求項４において、
前記ガス冷却塔は、ある遺体の火葬工程から次の遺体の火葬工程に移るときに、前の火葬工程時に発生した残留ガスを外部に高速で排出すると共に、前の火葬工程時に加熱された燃焼室内を常温まで高速で冷却するためのエジェクターファンを備えている、ことを特徴とする愛玩動物の遺体などを焼却するのに適した焼却炉。
【請求項１０】
請求項１の愛玩動物の遺体などを焼却するのに適した焼却炉を使用した焼却方法において、
前記一次燃焼室に点火する前に、予め、前記二次燃焼室を、ダイオキシンの発生を防ぐことができる８００℃以上の温度まで昇温させておく工程、及び、
前記二次燃焼室の８００℃以上への昇温後、前記一次燃焼室を点火して動物の遺体などの被焼却物を焼却する工程、
を含み、前記一次燃焼室の立ち上げ時におけるダイオキシンの発生を防止するようにしたことを特徴とする焼却方法。
【発明の詳細な説明】
【技術分野】
【０００１】
本発明は、犬、猫、熱帯魚などの愛玩動物の遺体、モルモットなどの実験用小動物の遺体などを焼却するのに適した焼却炉及び焼却方法に関する。
【背景技術】
【０００２】
従来より、犬、猫などの愛玩動物の遺体を火葬するための遺体焼却炉が知られている。従来の動物用遺体焼却炉は、単に炉内に大容量バーナーを設置し、このバーナーからの炎により遺体を焼却するというものである（例えば特許文献１参照）。
【特許文献１】特開２００３−３３３９４８号公報
【発明の開示】
【発明が解決しようとする課題】
【０００３】
ところで、従来の動物の遺体用の焼却炉は、一般のゴミ等の焼却炉と比較して、次のような特殊性を有している。すなわち、愛玩用小動物の遺体、熱帯魚等の遺体、実験動物などの死骸（遺体）の焼却（火葬）は、処理対象の動物の大きさがケースにより著しく異なっており、小は１００ｇから大は６０Ｋｇ超までというように様々であり、動物の老若により体脂肪の量も大差があることなどから、一般ゴミとは異なる処理が必要である。特に、前記の遺体からの体脂肪は、火葬時の温度上昇に伴って液状化し、皮膚の損傷部から漏れ出し、炉床面に広がり、さらに移動炉床と側壁の間隙から零れ、フロァを汚損させ悪臭を発するようになる。また、この液化した脂肪は、多量の水分と混合されてエマルジョン（脂肪と水が混合したもの）となり、水の蒸発時の潜熱を奪って着火温度までの温度上昇を妨げるため、脂肪が気化し燃焼することを阻害する。
【０００４】
また、動物の遺体の骨の大きさも、ハムスターの骨のような縫い針又は爪楊枝の如きサイズから直径５ｃｍ以上に達する物もある。大型骨の動物の火葬の場合は、その骨髄までを短時間で焼却するにためには非常に高温の炎を要するが、反面、ハムスター等の爪楊枝サイズの骨の動物の火葬の場合は、高温の火炎では吹き飛ばされて骨拾い（遺骨の回収）が出来ないという問題がある。
【０００５】
また、動物の遺体の体液や血液中に含まれる塩素分と有機物が混在して燃焼するため、低温燃焼ではダイオキシンが発生してしまう。また、生前に動物が親しんでいた玩具（塩化ビニール製が多い）を柩の中に入れる場合が少なくないが、この玩具もダイオキシン発生の要因となっている。
【０００６】
また、大型犬は横たわって死に、死後硬直を起こしていると足が邪魔をして胴体を炉床の中央に安置する事が出来ず、炉床の中央に火炎を直接吹きつけても大型犬の遺体を加熱できないことが多い。
【０００７】
本発明は、以上のような動物の遺体用焼却炉の特殊性に着目してなされたものであり、その目的は、次に述べるようなものである。
（１）従来の焼却炉においては、燃焼室からの熱ガスを煙突（ガス冷却塔）から外部に排出するときに、約２００℃以下まで低下させることが技術的に困難であり、そのため、焼却炉の法律上の規制を容易にクリアすることができない、という問題があった。そこで、本発明は、燃焼室からの熱ガスを煙突（ガス冷却塔）から外部に排出するときに、約２００℃以下まで容易に低下させることができ、焼却炉の法律上の規制を容易にクリアすることができる、愛玩動物の遺体などを焼却するのに適した焼却炉を提供することを目的とする。
（２）従来の焼却炉では、バーナーからの炎による燃焼だけでは、どうしても不完全燃焼部分や燃焼遅れ部分が発生するためダイオキシンが生成されるという恐れがあった。そこで、本発明は、動物の遺体などの被焼却物の全体を確実に完全燃焼させてダイオキシンの発生を有効に防ぐことができる動物の遺体などのための燃焼炉及び焼却方法を提供することを目的とする。
（３）従来の動物の遺体用焼却炉のように燃焼炉にバーナー１本を備えただけでは、大型犬を焼却した場合、火炎が遺体に遮られて届かない場所が発生してしまうという問題がある。また、バーナー１本により燃焼させるときは、反バーナー（下流）側に燃焼の遅れが発生してしまう。そこで、本発明は、大型犬などを焼却する場合に、火炎が届かずに未焼却部分が残ってしまったり、燃焼遅れの部分が生じてしまい全体の燃焼時間が延びてしまうという事態を防ぐことができる動物の遺体などのための焼却炉を提供することを目的とする。
（４）また、従来の燃焼炉では、燃焼後のガスや残滓が排気用煙突内を浮遊する過程で、ダイオキシンが再合成される恐れがあった。そこで、本発明は、燃焼後のガスや残滓などが排気用煙突内などで浮遊することによりダイオキシンが再合成されることを有効に防止することができる動物の遺体などの燃焼炉を提供することを目的とする。
（５）また、従来の焼却炉では、遺体からの大量の体液や脂肪が移動炉床に溜まり（特に大型の老犬の遺体は脂肪が多い）、更に移動炉床外の燃焼室内の床面に溢れ出して、その床面を汚損し焼却終了後も悪臭を発してしまうなどの問題がある。そこで、本発明は、遺体からの体液や脂肪が移動炉床から流出することを防ぎ、燃焼室の床などを汚損したり悪臭を発生したりすることを防ぐことができる動物の遺体の焼却炉を提供することを目的とする。
（６）また、従来の焼却炉では、移動炉床が平坦なため移動炉床に密着した遺体下部が温度不足及び酸素不足となり不完全燃焼を起こし、臭気、ダイオキシン又は黒煙が発生してしまう、また、同じ原因から、焼却に長い時間を要してしまう、という問題がある。そこで、本発明は、移動炉床に載置された遺体の下部をも効率的に燃焼させることができる動物の遺体の焼却炉を提供することを目的とする。
（７）また、従来の焼却炉では、小動物を焼却する場合、焼却中に骨がバーナーからの火炎の勢いで吹き飛ばされしまい、後で骨の回収ができなくなってしまうという問題がある。そこで、本発明は、モルモット等の小動物の遺体を焼却する場合でも、その遺体の骨が飛散しないようにして骨の回収が容易にできるようにする動物の遺体の焼却炉を提供することを目的とする。
（８）また、従来の焼却炉では、動物の遺体からの脂肪を含む液体が遺体を載置した移動炉床に溜まるが、この液体は水分が多いため自燃しないし、この液体が燃焼温度を下げるのでダイオキシンの発生原因にもなっている。また、この液体による燃焼の後れにより、遺体の焼却に長時間を要している。そこで、本発明は、この移動炉床に溜まった動物の遺体からの液体を有効に燃焼させることができる動物の遺体の焼却炉を提供することを目的とする。
（９）また、従来の燃焼炉では、複数の動物の遺体の火葬を連続操業する場合に、炉内に前操業の残留ガスが滞留していたり、炉内が３００℃以上の高温になったままで次の操業（火葬）に直ちに入れない（操業効率が低下してしまう）という問題があった。そこで、本発明は、前述のような連続操業時に、前操業の残留ガスを高速に排気すると共に、前操業時に加熱された炉内を常温まで高速冷却して、速やかに次の操業に移るようにすることができる、愛玩動物の遺体などを焼却するのに適した焼却炉及びこれを利用した焼却方法を提供することを目的とする。
【課題を解決するための手段】
【０００８】
以上のような課題を解決するための本発明による愛玩動物の遺体などを焼却するのに適した焼却炉は、動物の遺体などを焼却するための焼却炉において、動物の遺体などの被焼却物を燃焼させるためのバーナーを備えた一次燃焼室と、前記一次燃焼室の上方に備えられ、前記一次燃焼室から送られて来る未燃焼ガスを完全燃焼させるための二次燃焼室であって、熱を蓄積して放射熱及び高温空気の渦流を発生させるためのスタビライザーと、前記二次燃焼室内の空間及び前記スタビライザーを高温の火炎で加熱するための消煙バーナーとを備え、前記一次燃焼室から送られて来る未燃焼ガスを完全燃焼させることによりダイオキシンの生成を抑制するための二次燃焼室と、前記二次燃焼室の排出側に備えられ、前記二次燃焼室からのガスを排出するためのガス冷却塔（煙突）と、前記二次燃焼室からの熱ガスを前記ガス冷却塔（煙突）に導くための通路の途中部分に備えられ、前記熱ガスの温度を低下させるための大気を外部から取り入れるための大気取入口と、を備えたことを特徴とするものである。
【０００９】
また、本発明において、前記ガス冷却塔（煙突）は、前記大気取入口からの大気により、前記ガス冷却塔（煙突）を通過するガスの温度を約２００℃まで低下させるものであることが望ましい。
【００１０】
また、本発明による焼却炉において、前記一次燃焼室は、移動式の移動炉床に載置される愛玩動物の遺体を、その頭部又は臀部の方向から臀部又は頭部の方向へ向けて炎を放出する主バーナーであって、比較的身長の大きい動物が炉床上で横たわったときにその遺体の長手方向のほぼ中心線に対向するように、すなわち、移動炉床の長手方向の中心線から偏芯した位置に対向するように、配置されている主バーナーと、前記主バーナーの最遠部の熱不足を補うための副バーナーであって、前記主バーナーからの炎とほぼ直交する方向に炎を放出する副バーナーと、を備えているのがよい。なお、この発明（特に、前記主バーナーを、移動炉床の中心から偏芯させて配置するアイデア）は、前記の一次燃焼室と二次燃焼室との二つの燃焼室を備えた焼却炉に限られることなく、一つの燃焼室のみを備えた焼却炉においても、適用できる。
【００１１】
また、本発明による焼却炉においては、前記二次燃焼室の排出側に備えられたガス冷却塔であって、外気を高速に取り込むためのエジェクターファンを備え、このエジェクターファンからの空気により、前記スタビライザーからの加熱された空気を取り込むと共に、この取り込んだ前記の加熱された空気を約２００℃まで急冷して外部に排出し、これにより、前記二次燃焼室から送られたガスによりダイオキシンが再合成されることを防止するようにしたガス冷却塔、を備えるのがよい。
【００１２】
また、本発明による焼却炉においては、前記移動炉床の周囲に備えられた耐火物製の堰堤であって、前記移動炉床上の動物の遺体からの脂肪が移動炉床の外に流れ出すことを防止するための堰堤、を備えるのがよい。
【００１３】
また、本発明による焼却炉においては、前記移動炉床の上面に備えられた耐火物製の凹凸部であって、移動炉床上に載置された動物の遺体の下部に酸素及び熱ガスを供給するための通気スペースを確保するための凹凸部、を備えるのがよい。
【００１４】
また、本発明による焼却炉においては、前記移動炉床の上面の前記凹凸部の凹部内に敷き詰められた粒子径が約２〜５ｍｍの角張った砂又は砂状の粒子であって、前記遺体からの脂肪などの油分を上方に導いて炉内で燃焼させるための粒子、を備えるのがよい。
【００１５】
また、本発明による焼却炉においては、前記移動炉床の上面に備えられた小動物載置用エリアであって、前記主バーナー及び副バーナーからの炎が直接当たらない場所に備えられ、その周囲には耐火物製の防炎板が備えられ、これにより小動物の遺骨がバーナーからの火炎により飛散されることを防止することができる小動物載置用エリア、を備えるのがよい。
【００１６】
また、本発明による焼却炉においては、前記ガス冷却塔は、ある遺体の火葬工程から次の遺体の火葬工程に移るときに、前の火葬工程時に発生した残留ガスを外部に高速で排出すると共に、前の操業時に加熱された燃焼室内を常温まで高速で冷却するためのエジェクターファンを備えているのがよい。
【００１７】
さらに、本発明による焼却炉を使用した焼却方法は、一次燃焼室に点火する前に、予め、二次燃焼室をダイオキシンの発生を防げる８００℃以上の温度に昇温しておく工程、及び、前記二次燃焼室の８００℃以上への昇温後、一次燃焼室を点火して動物の遺体などの被焼却物を焼却する工程、を含み、一次燃焼室の立ち上げ時におけるダイオキシンの発生を防止するようにしたことを特徴とするものである。
【発明の効果】
【００１８】
以上に説明したように、本発明においては、前記二次燃焼室からの熱ガスを前記ガス冷却塔（煙突）に導くための通路の途中部分に、大気を外部から取り入れるための大気取入口を備えるようにしたので、前記二次燃焼室からの熱ガスは、前記ガス冷却塔（煙突）を通過する間に、前記外部から取り入れられた大気により、その温度が約２００℃まで容易に低下するようになるので、焼却炉に関する法律上の規制を容易にクリアすることが可能になる。
【００１９】
また、本発明では、前記一次燃焼室の上方に、消煙バーナーとスタビライザーとを有する二次燃焼室を備えているので、「約８００℃以上で２秒以上の滞留時間」というダイオキシンの発生を防止するための条件を達成することができる。
【００２０】
また、本発明では、一次燃焼室に点火する前に二次燃焼室を充分に昇温しておき、その後、一次燃焼室を点火するようにしたので、一次燃焼室の立ち上げ時にダイオキシンが発生することを有効に防止できるようになる。すなわち、一次燃焼室だけでは、一次燃焼室を点火してから８００℃まで昇温するまでの間はダイオキシンの生成を防げないが、本発明では、まず二次燃焼室を点火して十分に（ダイオキシンの発生を防げる８００℃以上に）昇温させておき、その後に一次燃焼室を点火して遺体を焼却するようにしているので、一次燃焼室の立ち上げ時のダイオキシンの発生が有効に防止できるようになっている。
【００２１】
また、本発明では、一次燃焼室に、主バーナーを、大型動物が炉床上で横たわったときにその遺体の長手方向のほぼ中心線に対向するように、すなわち移動炉床の長手方向の中心線から偏芯した位置に対向するように（動物の中心軸に沿って炎が放出されるように）、配置しているので、大型動物について未燃焼部分を少なくして効率的な焼却をすることが可能になる。また、本発明では、前記主バーナーの最遠部の熱不足を補うために、前記主バーナーからの炎とほぼ直交する方向に炎を放出する副バーナーを備えたので、主バーナーからの炎の影になる部分がなくなり、未燃焼部分又は燃焼遅れ部分をなくすことができる。
【００２２】
また、本発明では、前記二次燃焼室の排出側に、二次燃焼室からのガスを約２００℃まで急速に冷却するためのガス冷却塔を備えるようにしているので、排出用煙突内で、前記二次燃焼室からのガスからダイオキシンの再合成が起きることを防止できるようになる。すなわち、８００℃からの温度降下が遅かった場合（徐冷）は、排出用煙突内で未燃焼ガス中の残留有機物と塩素ガスが再合成してダイオキシンが発生してしまうが、本発明では、前記ガス冷却塔により未燃焼ガスが急冷されるので、ダイオキシンの再合成が防止されている。
【００２３】
また、本発明では、前記移動炉床の周囲に、耐火物製の堰堤を備えているので、前記移動炉床上の遺体からの脂肪が移動炉床の外に流れ出して、床などを汚損したり悪臭の元になることを防止できるようになっている。
【００２４】
また、本発明では、前記移動炉床の上面に、耐火物製の凹凸部を備えて、移動炉床上に載置された遺体の下部に酸素及び熱ガスを供給するための通気スペースを確保するようにしているので、遺体下部の熱不足及び酸素不足による燃焼遅れの問題が解消されている。
【００２５】
また、本発明では、前記移動炉床の上面の凹凸部の凹部内に、砂状の粒子を敷き詰めるようにしたので、前記遺体から流出して前記凹凸部に溜まった脂肪などの油分は、この砂状の粒子の「灯芯効果」（砂状物質の毛細管効果で脂肪を液面より上に吸い上げ気化を容易にする、ロウソクの灯芯と同じ効果）により、気化が促進されるようになる。
【００２６】
また、本発明では、前記移動炉床の上面の、前記主バーナー及び副バーナーからの炎が直接当たらない場所に、周囲に耐火物製の防炎板で囲んだ小動物載置エリアを備えたので、小動物の遺骨がバーナーからの火炎により飛散されて遺骨の回収ができなくなるという不都合を回避できるようになる。
【００２７】
また、本発明では、前記ガス冷却塔に、エジェクターファンを備え、このエジェクターファンにより、ある遺体の火葬工程から次の遺体の火葬工程に移るときに、前の火葬工程時に発生した残留ガスを外部に高速で排出すると共に、前記各燃焼室内を常温まで高速で冷却するようにしたので、連続操業の場合の次の火葬への移行がより速く行えるようになる。
【発明を実施するための最良の形態】
【００２８】
本発明を実施するための最良の形態は、以下の実施例１について述べるような形態である。
【実施例１】
【００２９】
図１は本発明の実施例１による愛玩動物の遺体などを焼却するのに適した焼却炉の全体構造を説明するための断面図、図２Ａは、本実施例１の全体構造を示す概略図である。図１及び図２Ａにおいて、１は一次燃焼室、２はこの一次燃焼室１からの燃え残りや煙等のガスを処理するための二次燃焼室、３はこの二次燃焼室２からの熱ガスなどを処理及び排出するためのガス冷却塔（エジェクター煙突）である。
【００３０】
本実施例１においては、図１に示すように、前記ガス冷却塔（エジェクター煙突）３と前記二次燃焼室２との境目の近傍部分に、外部から大気を取り入れるための大気取入口３ａが備えられている。本実施例１においては、前記大気取入口３ａにより外部からの大気を取り込み、この外部からの大気により、前記二次燃焼室２からの熱ガスを、前記ガス冷却塔（エジェクター煙突）３内を通過する間に、約２００℃まで低下させるようにしている。
【００３１】
また、本実施例１においては、図２Ａに示すように、前記一次燃焼室１には、扉４と、この扉から一次燃焼室１の内と外に出入り自在の移動式の移動炉床５が備えられている（本実施例１では、遺体を乗せる炉床は移動式の移動炉床５として、遺体を載せること及び骨を拾うことを容易にしている）。また、この一次燃焼室１には、動物の遺体の長手方向に炎を放射する主バーナー６と、この主バーナーの炎の放射方向とほぼ直交する方向に炎を放射する副バーナー７とが、備えられている。
【００３２】
本実施例１では、前記主バーナー６は、図２Ｂに示すように、移動炉床５の幅方向（長手方向と直交する方向）の中心を通る中心線（前記移動炉床５の長手方向に並行な線）に対向するのではなく、前記中心線よりもいずれか一方の端部に偏芯した線に対向するように設置されている。その理由は、図３に示すように、大型犬などの比較的大型の動物の遺体の長手方向の中心は、移動炉床５の上に載置すると、移動炉床５の中心線Ａ（移動炉床５の長手方向に延びる線で、移動炉床５を二等分する線Ａ）に対して偏芯して平行に延びる線（図３の一点鎖線Ｂで示す線）上に位置するようになる。したがって、主バーナー６からの炎がこの線Ｂに沿って放射されるようにするのが合理的である。よって、本実施例１では、主バーナー６は、図３の中心線Ａではなく、それから偏芯した線Ｂ（この線Ｂは、例えば、移動炉床５の幅方向の一方の端部から約１／３の位置である）に対向する位置に、設置されている。
【００３３】
すなわち、本実施例１では、超大型犬の火葬にも対応出来る特大の床面積（Ｗ９００ｍｍ×Ｌ１２００ｍｍ）を持つ一次燃焼室１に、主バーナー６を偏芯して配置し、この主バーナー６による炎とクロスする炎を発するように副バーナー７を配置している。一次燃焼室１内にこの２本のバーナー６，７を配置して、動物の遺体全体が火炎で覆われるようにした。すなわち、ダイオキシンの発生を抑制する為には、部分的にも不完全燃焼を起こさせてはならず、一次燃焼室１内に温度ムラや空気不足領域を作ってはならない。そこで、本実施例１では、一次燃焼室１内の温度ムラを無くする為に、主バーナー６及び副バーナー７の計２本のバーナーを使用して、燃焼のデッドスペースの発生を防止している。すなわち、大型愛玩犬の胴体を中心線上に置くことは極めて困難なため、主バーナー６は、大型犬の胴体の位置を想定して一次燃焼室の中心よりずらして設置する。前記一次燃焼室の場合、主バーナー６は、移動炉床５の一方の端部からの幅の約１／３の位置に、設置してある。補助バーナー７はデッドゾーンになりやすい移動炉床５の長手方向の後ろ側の約１／３域をカバーするために、主バーナー６の反対側で移動炉床５の長手方向の後ろ側の約１／４の位置に、設置してある。
【００３４】
また、図３において、主バーナー６からの炎だけでは、その最遠部である図３の破線Ｃで示す部分が燃焼しない又は燃焼が遅れてしまうことになる。そこで、本実施例１では、この最遠部Ｃに対向する位置に、副バーナー７を備えるようにしている。この副バーナー７は、主バーナー６からの炎の熱不足を最も効率的に補えるようにするために、主バーナー６からの炎の放射方向とほぼ直交する方向に炎を放射するように、設置されている。
【００３５】
次に、二次燃焼室２について、図２Ａ、図２Ｂ、図４、及び図５を参照して説明する。この二次燃焼室２は、一次燃焼室１の上部に、連絡管９を介して設置されている。図５は一次燃焼室１と二次燃焼室２との位置関係を示す図である。二次燃焼室２は、一次燃焼室１の平面図を示す図５の左上の上方に、配置されている。すなわち、本実施例１では、図２Ａ及び図５に示すように、二次燃焼室２を一次燃焼室１の上部に設置し、一次燃焼室１からのガスの出口は一次燃焼室１の長手方向中央よりも主バーナー６寄りとし、二次燃焼室２へのガスの入口は二次燃焼室２の長手方向中央よりも消煙バーナー１０寄りとすることにより、ガスのショートパスを防止している。
【００３６】
本実施例１では、二次燃焼室２に、消煙バーナー１０とスタビライザー１１とが備えられている。消煙バーナー１０は、二次燃焼室２とスタビライザー１１を加熱するためのものである。スタビライザー１１は、消煙バーナー１０からの熱を蓄熱して高温の熱を放射すると共に、高温空気の渦流を発生させるためのものである。一次燃焼炉１から二次燃焼室２に送られてくる希薄な未燃焼ガスは、前記消煙バーナー１０及びスタビライザー１１により、完全燃焼させられて、ダイオキシンの生成が抑制されるようになっている。
【００３７】
すなわち、本実施例１では、二次燃焼室２は、温度保証（８００℃以上。望ましくは平均８５０℃以上）用の消煙バーナー１０と、ほぼ中央に位置するスタビライザー１１（セラミックス製の多孔壁で、後流に発生する渦と蓄熱による保焔・温度上昇の役割を持つ）を設け、二次燃焼室２内における均一混合と更なる温度上昇を達成した。
【００３８】
本実施例１では、以上のような構成により、一次燃焼室１及び二次燃焼室２のガスの滞留時間は、合計２秒以上を確保しているので、一次燃焼室１又は二次燃焼室２でダイオキシンが合成されることが有効に防止されている。すなわち、ダイオキシンは、塩素イオン（食塩、塩化ビニール、塗料、血液、体液などに含まれる）と有機物（合成樹脂，紙布，蛋白質，脂肪，炭水化物，燃料油等々）を約３００〜６００℃の低温且つ酸素不足の状態で燃焼させた時に発生する。したがって、ダイオキシンを発生させない為には、約８００℃以上で２秒以上の滞留時間を確保することが必要であるが、本実施例１はこの条件を満たすようにしている。
【００３９】
すなわち、本実施例１では、塩素イオンや有機物を約３００〜６００℃の低温且つ酸素不足の状態で燃焼させてダイオキシンを発生させるという事態を防ぐために、次のような工夫を行っている。一般に、焼却炉の立ち上げ時には、遺体を一次燃焼室１内に挿入しバーナー６，７に点火し、所定の温度、例えば約８００℃以上まで昇温させる迄の間は、ダイオキシンの発生を防ぎ得ない。本実施例１では、これを防ぐため、二次燃焼室２を設け、一次燃焼室１に点火する前に二次燃焼室２及びスタビライザー１１（セラミックス＝煉瓦を格子状に積んだ開口のある壁で、蓄熱能力あり。格子への衝突及び格子通過後の背面に渦流が発生し、この混合効果で燃焼が促進加速される）を予め充分に昇温しておき、その後に、一次燃焼室１に点火する。そして、一次燃焼室１の主バーナー６及び副バーナー７を共にフル燃焼させ、二次燃焼室２もフル燃焼を継続すれば、スタビライザー１１や炉体が蓄熱分を放熱するので、全体で８００℃以上で２秒間以上滞留させる、という前記の条件を維持できる。
【００４０】
また、従来のように燃焼室にバーナー１基を備えただけで大容積物を燃焼させる場合は、物に火炎が衝突して偏流し炉尻に火炎が届かない現象、すなわち、炉尻にデッドゾーン（火炎が届かない為、高温で酸素を含む排ガスが供給されない事により温度が上がらず、特に含水率の高い初期の条件では温度が上がらず且つ酸素不足の状態で、自燃できないゾーン）が出現する。そこで、本実施例１では、主バーナー６と副バーナー７との２本のバーナーを備え、更に、これらの２本のバーナー６，７をただ並列に配しただけでは前述のような火炎の衝突、偏流現象を解消できず効果がないため、主バーナー６及び副バーナー７の配置を、炉尻部での火炎が互いに交差するようにした。これにより、主バーナー６からの火炎の衝突と偏流によって発生するデッドゾーンを副バーナー（２次バーナー）７の火炎で補うことができ、これを消去できるようになっている。なお、焼却（火葬）終了後の骨（一般には、焼却残渣または焼却灰と称す）についても、その冷却過程でダイオキシンの再合成があると言われることがあるが、完全に骨化していれば（有機物の存在が無ければ）、ダイオキシンの再合成は無い。また、二次燃焼室２内に堆積する灰についても、８００℃以上の高温に長時間暴露されているため、有機物の分解が進み無害化している。
【００４１】
次に、ガス冷却塔３について、図２Ａを参照して説明する。前述のように、ダイオキシンを発生させない為には、約８００℃以上で２秒以上の滞留時間を確保することが必要であるが、８００℃からの温度降下が遅い場合（徐冷）は、未燃焼ガス中の残留有機物と塩素ガスが再合成してダイオキシンを発生する。このダイオキシンの再合成を防止するためには、１〜２秒間内に、ダイオキシンが再合成しない温度域すなわち２００℃まで急冷する必要がある。本実施例１のガス冷却塔３はこのためのものである。
【００４２】
すなわち、図２Ａのガス冷却塔３には、エジェクターファン１２が備えられている。このエジェクターファン１２の作動により、外気を高速に取り込む。このエジェクターファン１２から取り込まれた外気は、冷たい空気としてガス冷却塔３に供給され、ガス冷却塔３内を急速に冷却する。これにより、二次燃焼室２から送られたガスが、煙突内で高温のまま滞留する間にダイオキシンが再合成されてしまう事態が、防止されるようになっている。すなわち、本実施例１では、ダイオキシンの再合成を防止するため、通常の煙突を拡大し、８５０℃の排ガスに冷外気（排ガスの３．５倍量）をエジェクター作動用兼冷却用の空気として吹き込み、概ね２００℃迄急冷する。なお、図２Ａの符号１３で示すように、圧縮空気と高圧水を用いた二流体ノズル（霧化ノズル）で微小ミストを発生させ、これを吹き込む方法を併用することも可能である。
【００４３】
また、本実施例１では、ある遺体を火葬した後に次の遺体の火葬を行うという連続操業の場合に、先の火葬が終了したら直ちに前記エジェクターファン１２を高速駆動させることにより、先の火葬時に発生した残留ガス（異臭を放つガス）を外部に排出すると共に、前記一次燃焼室１及び二次燃焼室２などを急速に冷却させることにより、直ちに、次の火葬に移ることができる（従来は、残留ガスの存在や熱の残留により、直ちに（短時間内に）次の火葬に移ることは困難であった）。  
【００４４】
また、本実施例１では、移動炉床５の外周の４辺に、耐火物製の堰堤が備えられている。この堰堤は、燃焼される遺体から出る脂肪や体液が移動炉床５から外に流れ落ちないようにするためのものである。すなわち、本実施例１では、移動炉床５の周囲の４辺に、耐火物製で、その高さが例えば６００〜９００ｍｍで、その幅が例えば１０００〜１２００ｍｍの堰堤を設けるようにし、これにより、遺体からの体液及び脂肪が移動炉床５から溢出することを防止した。
【００４５】
また、本実施例１では、移動炉床５の上面の全体に、耐火物製の凹凸部が備えられている。この凹凸部は、動物の遺体の下部にも酸素と熱ガスを供給することにより、遺体の下部の燃焼を促進するためのものである。すなわち、本実施例１では、遺体下部の酸素不足及び熱不足の対策として、例えば並型煉瓦を５０ｍｍの隙間を置いて並べ、正規の床面から約５０ｍｍの空隙（凹凸）を設け、ここに熱ガスと酸素の流入するギャップを構成し、遺体下部の焼却速度を確保している。すなわち、動物の遺体の火葬炉への挿入及び骨回収を容易にする目的での水平移動炉床方式において、最も焼却の遅れる遺体下部の燃焼促進を図るために、耐火物製の高さ３０〜１００ｍｍの突起（凹凸部）を設け、遺体下部と炉床間に熱ガスと酸素の供給を可能にしている。
【００４６】
また、本実施例１では、図６に示すように、前記移動炉床５の上面の一部に、モルモット等の小動物の遺体を載置するための小動物エリア１４が備えられている。この小動物エリア１４は、前記主バーナー６及び副バーナー７からの炎が直接当たらない場所に設置されている。この小動物エリア１４の周囲の４辺には、耐火物製の防炎板が備えられている。この防炎板は、前記耐火物製の凹凸部の凹部に挟み込まれることにより、設置されている。モルモット等の小動物は、前記主バーナー６及び副バーナー７からの炎が直接当たると、その炎の勢いにより遺骨が飛散してしまう。そこで、本実施例１では、前述のような小動物エリア１４の中に小動物の遺体を載置して燃焼させるようにする。このようにすることにより、小動物の遺骨が飛散して遺骨の回収ができなくなる不都合は回避されるようになる。すなわち、本実施例１では、超小型動物の骨飛散対策として、２本のバーナーからの火炎のいずれにも直撃されないゾーンとしての小動物エリア１４を備えた。小動物エリア１４の周囲を、耐火物製の板（高さ１００〜２００ｍｍ）を前記凹凸部に差し込むことにより、囲うようにした。これにより、防熱風壁を作り、超小動物の遺骨の飛散を防ぐようにしている。すなわち、本実施例１では、炉床に設けた凹凸間に、耐火物製板により、火炎が直撃しないように２００〜３００ｍｍ角の囲いを作る事で、爪楊枝の如き細骨を、飛散させることなく、回収する事を可能にしている。
【００４７】
また、本実施例１では、前記移動炉床５の上面の凹凸部に、粒子径２〜５ｍｍの砂（珪砂）が数ｍｍの厚さで敷き詰められている。前述のように、移動炉床５の上に載置された遺体から、多量の脂肪や体液が流出して、それが前記凹凸部の凹部に溜まってしまう。この溜まった脂肪や体液は、そのままでは気化・燃焼しない。そこで、本実施例１では、前述のような珪砂を凹凸部に敷き詰めることにより、この珪砂を「ローソクの芯」と同じ役割を果たさせて、前記脂肪や体液を加熱し気化させるようにしている。すなわち、前記の凹凸部に溜まった脂肪や体液は、前記珪砂を伝わって上昇し、珪砂の上で加熱されて気化されることになる。なお、前記の珪砂の代わりに、他の材料から成る粒子を使用してもよい。以上のように、本実施例１では、前記堰堤に囲まれた炉床面に溜まった脂肪の燃焼及び体液の蒸発を促進するために、前記凹凸部の凹部に２〜５ｍｍ径の角張った砂を敷き、この砂に灯芯の役割（前記脂肪を気化させ燃焼させる）をさせるようにしている。
【実施例２】
【００４８】
次に、図７は本発明の他の実施例２を示す図である。この他の実施例２においても、主バーナー及び副バーナーを備えた一次燃焼室２１と、消煙・消臭バーナーを備えた二次燃焼室２２と、ガス冷却塔２３とを備えていることは、前記の実施例１と同様である（基本的構成は実施例１と同じなので詳細は省略する）。なお、ガス冷却塔２３の図示右側部分（スタビライザーの図示左側部分）は、スタビライザーに蓄積された熱により加熱される（「８００℃以上の高温下で２秒間以上滞留させる」というダイオキシン対策のためのもの）ので、この図７では「３次燃焼室」と表示している。この実施例２においても、実施例１とほぼ同様の作用効果を奏することができる。特に、この実施例２では、強制排気方式のため、初心者でも安全に使用でき、また、特に３００℃からの冷却が速くなる。また、熱気の吹き出しがないので、安全であり、炉体の損傷もない。また、二次燃焼室２２に、セラミック製のスタビライザーを設置しているので、消煙・消臭が万全である。また、ガス冷却塔２３において、ガスの急速冷却（概ね２００℃まで急冷する）のための冷風混合も行われるので、ダイオキシンの発生が大幅に抑制される（厚生省令によると、「８００℃以上で２秒間の滞留時間を確保し、その後、概ね２００℃まで急冷することにより、ダイオキシンの発生は抑制できる）。よって、この実施例２では、ダイオキシンに関する公的規制をほとんどクリアーできるので、使用を制限される恐れがない。
【００４９】
以上、本発明の実施例１及び２について説明したが、本発明は、ダイオキシン対策が充分であること、８００℃迄の昇温が迅速に行われることなどから、愛玩動物（ペット）の火葬だけでく、モルモット等の動物実験用小動物の焼却処理や、小容量の感染性医療廃棄物の焼却処理にも、適用可能である。
【図面の簡単な説明】
【００５０】
【図１】本発明の実施例１の全体構造を示す断面図である。
【図２Ａ】本実施例１の全体を示す概略図である。
【図２Ｂ】本実施例１の構造を説明するための概略図である。
【図３】本実施例１の主バーナーの配置を説明するための図である。
【図４】本実施例１を説明するための概略図である。
【図５】本実施例１の一次燃焼室と二次燃焼室との位置関係を示す図である。
【図６】本実施例１の小動物エリアを説明するための図である。
【図７】本発明の実施例２の全体を示す概略図である。
【符号の説明】
【００５１】
１，２１  一次燃焼室
２，２２  二次燃焼室
３，２３  ガス冷却塔
３ａ  大気取入口
４  扉
５  移動炉床
６  主バーナー
７  副バーナー
１０  消煙バーナー
１１  スタビライザー
１２  エジェクターファン
１３  霧化ノズル
１４  小動物エリア
【図１】
2006329612.tif 000003
【図２Ａ】
2006329612.tif 000004
【図２Ｂ】
2006329612.tif 000005
【図３】
2006329612.tif 000006
【図４】
2006329612.tif 000007
【図５】
2006329612.tif 000008
【図６】
2006329612.tif 000009
【図７】
2006329612.tif 000010